(57)【要約】【課題】高い伝達効率を維持しつつ、ベルトとプーリとの接触に起因する振動の発生を抑制する動力伝達装置を提供する。【解決手段】動力伝達装置は、駆動プーリ４０１、第１のアイドラプーリ４０２及び第２のアイドラプーリ４０３に張架されたＶリブドベルト４０５と、駆動プーリ４０１を回転駆動するステッピングモータ３０４と、Ｖリブドベルト４０５の背面側からＶリブドベルト４０５に張力を付与するテンショナープーリ４０４を有する。Ｖリブドベルト４０５の背面側には背面コグ部５０３が形成されており、背面コグ部５０３は弾性体からなるシート部材５０２で覆われている。テンショナープーリ４０４はシート部材５０２を介してＶリブドベルト４０５に張力を付与する構成とした。【選択図】図３
2013046225.tif 000002
【特許請求の範囲】
【請求項１】
背面コグ部を有し、少なくとも２つ以上のプーリに張架されたＶリブドベルトと、前記少なくとも２つ以上のプーリのうちの１つのプーリを回転駆動する駆動源とを有し、前記１つのプーリを前記駆動源により回転駆動することにより前記Ｖリブドベルトを回転させる動力伝達装置であって、
前記Ｖリブドベルトの背面側から前記Ｖリブドベルトに張力を付与する少なくとも１つ以上のテンショナープーリと、
前記Ｖリブドベルトの背面と前記テンショナープーリとの間に介在する弾性体と、を備えることを特徴とする動力伝達装置。
【請求項２】
前記弾性体は、前記Ｖリブドベルトの背面コグ部を覆っていることを特徴とする請求項１記載の動力伝達装置。
【請求項３】
前記弾性体は、前記テンショナープーリにおける前記Ｖリブドベルトとの当接面を覆っていることを特徴とする請求項１記載の動力伝達装置。
【請求項４】
前記少なくとも２つ以上のプーリは剛体からなることを特徴とする請求項１乃至３のいずれか１項に記載の動力伝達装置。
【請求項５】
原稿を載置する原稿台を備える筐体と、
前記筐体の内部に設けられ、前記原稿台に載置された原稿の画像を移動走査によって読み取る画像読取手段と、
前記画像読取手段を移動走査させるための動力伝達装置と、を備えた画像読取装置であって、
前記動力伝達装置は、前記請求項１乃至４のいずれかに１項に記載の動力伝達装置であることを特徴とする画像読取装置。
【発明の詳細な説明】
【技術分野】
【０００１】
本発明は、プーリ間に張架されたベルトを用いる動力伝達装置と、この動力伝達装置を備える画像読取装置に関する。
【背景技術】
【０００２】
画像読取装置として、タイミングベルトを用いた動力伝達装置により画像読取手段を移動走査させて、原稿台に載置された原稿の画像を読み取る構成を備えるものが知られている（例えば、特許文献１参照）。このようなタイミングベルトを用いた動力伝達装置から発生する振動や騒音を低減するための構成として、歯部が弾性体で形成された歯付きプーリとタイミングベルトを用いた動力伝達装置が提案されている（例えば、特許文献２参照）。そして、動力伝達用ベルトとして、屈曲性が高く、振動が発生し難い摩擦伝動ベルトの１種として、背面コグ部を有するＶリブドベルトが知られている（例えば、特許文献３参照）。
【０００３】
図５は、公知の背面コグ部を有するＶリブドベルトの一例を示す斜視図である。図５に示すように、Ｖリブドベルト１０１はその内周面に、ベルト長手方向に沿ってＶ形状に形成され、且つ、ベルト幅方向に所定のピッチで設けられたリブ部１０２を備えている。このような構成により、Ｖリブドベルト１０１は、一般的な摩擦伝動ベルトよりもプーリとの接触面積が多く、伝達効率が高いという特徴を有している。また、Ｖリブドベルト１０１はその外周面に、ベルト幅方向に延び、且つ、ベルト長手方向に所定のピッチで設けられた背面コグ部１０３を備えており、これにより、ベルトの屈曲性が高められている。
【先行技術文献】
【特許文献】
【０００４】
【特許文献１】特開２００３−７８６８２号公報
【特許文献２】特開平５−１６５２７１号公報
【特許文献３】特開２００１−１５２００９号公報
【発明の概要】
【発明が解決しようとする課題】
【０００５】
しかしながら、上記特許文献１に記載されたタイミングベルトを用いた構成では、タイミングベルトとタイミングベルトを駆動するためのプーリとが噛合う際に発生する振動が、読取った画像の劣化や騒音の発生を引き起こすという問題がある。上記特許文献２に記載された構成では、プーリの歯部が弾性体によって形成されているため、歯部に撓みが発生し、タイミングベルトを安定した速度で駆動できないという問題がある。
【０００６】
特許文献３に記載された構成では、Ｖリブドベルト１０１に適切な張力を付与する必要がある。ここで、Ｖリブドベルト１０１の内側からテンショナープーリを当接させて張力を付与する構成では、駆動プーリに対するベルトの巻き付き角度が減少するため、テンショナープーリとＶリブドベルト１０１との接触面積が減少してしまう。Ｖリブドベルト１０１は摩擦伝動ベルトであるため、このような接触面積の減少は伝達効率の低下を招く。
【０００７】
これに対して、図６に示すように、駆動プーリ２０１と従動プーリ２０２に張架されたＶリブドベルト１０１の外側からテンショナープーリ２０３を当接させて張力を付与する構成にする方法がある。しかし、図６の構成では、Ｖリブドベルト１０１の外周面に存在する背面コグ部１０３とテンショナープーリ２０３との接触によって振動が発生し、この振動が読取った画像の劣化や騒音の発生を引き起こすという問題がある。
【０００８】
本発明は、高い伝達効率を維持しつつ、ベルトとプーリとの接触に起因する振動の発生を抑制する動力伝達装置、及びこの動力伝達装置を備える画像読取装置を提供することを目的とする。
【課題を解決するための手段】
【０００９】
本発明に係る動力伝達装置は、背面コグ部を有し、少なくとも２つ以上のプーリに張架されたＶリブドベルトと、前記少なくとも２つ以上のプーリのうちの１つのプーリを回転駆動する駆動源とを有し、前記１つのプーリを前記駆動源により回転駆動することにより前記Ｖリブドベルトを回転させる動力伝達装置であって、前記Ｖリブドベルトの背面側から前記Ｖリブドベルトに張力を付与する少なくとも１つ以上のテンショナープーリと、前記Ｖリブドベルトの背面と前記テンショナープーリとの間に介在する弾性体と、を備えることを特徴とする。
【００１０】
また、本発明に係る画像読取装置は、原稿を載置する原稿台を備える筐体と、前記筐体内部に設けられ、前記原稿台に載置された原稿の画像を移動走査によって読み取る画像読取手段と、前記画像読取手段を移動走査させるための動力伝達装置と、を備えた画像読取装置であって、前記動力伝達装置が上記動力伝達装置であることを特徴とする。
【発明の効果】
【００１１】
本出願に係る発明によれば、高い伝達効率を維持しつつ、ベルトとプーリとの接触に起因する振動の発生を抑制することができ、これによりひいては、読取った画像の劣化を抑制し、騒音の発生を抑制することができる。
【図面の簡単な説明】
【００１２】
【図１】本発明の第１実施形態に係る画像読取装置の概略構成を示す斜視図である。
【図２】図１に示す画像読取装置の平面透視図である。
【図３】図２に示す破線部（テンショナープーリ部）の構成を詳細に示す図である。
【図４】本発明の第２実施形態に係る画像読取装置におけるテンショナープーリ部の構成を示す図である。
【図５】公知の背面コグ部を有するＶリブドベルトの一例を示す斜視図である。
【図６】図５のＶリブドベルトの外側からテンショナープーリを当接させて張力を付与する構成を示す図である。
【発明を実施するための形態】
【００１３】
以下、本発明の実施の形態について添付図面を参照して詳細に説明する。
【００１４】
＜第１実施形態＞
図１は本発明の第１実施形態に係る画像読取装置の概略構成を示す斜視図であり、図２は図１に示す画像読取装置の平面透視図であり、図３は図２に示す破線部（テンショナープーリ部）の構成を詳細に示す図である。
【００１５】
［画像読取装置の概略構成］
図１に示すように、画像読取装置の本体３０１は、本体３０１を構成する筐体３０３と、筐体３０３上に設置され、原稿が載置される原稿台３０２と、筐体３０３の外側に配設されたステッピングモータ３０４とを備えている。なお、画像読取装置の本体３０１は、例えば、画像形成装置に取り付けられ、原稿台３０２は透明ガラスで構成されている。
【００１６】
ステッピングモータ３０４の回転軸には駆動プーリ４０１が取り付けられている。また、図２に示すように、筐体３０３の内部には、第１のアイドラプーリ４０２、第２のアイドラプーリ４０３、テンショナープーリ４０４及びＶリブドベルト４０５が配設されている。Ｖリブドベルト４０５は、駆動プーリ４０１、第１のアイドラプーリ４０２及び第２のアイドラプーリ４０３との間に張架されており、テンショナープーリ４０４がＶリブドベルト４０５に張力を付与している。
【００１７】
これら各種のプーリ、Ｖリブドベルト４０５及びステッピングモータ３０４が、画像読取装置の動力伝達装置を構成しており、駆動源であるステッピングモータ３０４により駆動プーリ４０１を回転駆動させることで、Ｖリブドベルト４０５を回転させる。
【００１８】
テンショナープーリ４０４はテンショナープーリ支持板４０９に回転可能な状態で設置されており、テンショナープーリ支持板４０９は、第１のアイドラプーリ支持板４０８に対して回転可能な状態で配置されており、バネ４０６によって付勢されている。このような構成により、テンショナープーリ４０４は、Ｖリブドベルト４０５に対してその背面側から張力を付与している。
【００１９】
テンショナープーリ４０４は、Ｖリブドベルト４０５をＬ字形状に折り曲げる役割をも担っている。Ｖリブドベルト４０５の背面側からテンショナープーリ４０４を当接させ、Ｖリブドベルト４０５をＬ字形状に折り曲げることによって、駆動源であるステッピングモータ３０４を筐体３０３の外部に設けることが可能となる。このような構成とすることにより、ステッピングモータ３０４の取替え等のメンテナンスの際に、逐一、画像読取装置の本体３０１を画像形成装置等から取り外す必要性がなくなり、メンテナンス性を向上させることができる。
【００２０】
駆動プーリ４０１、第１のアイドラプーリ４０２及び第２のアイドラプーリ４０３は、剛性の高い材料（剛体）によって構成されており、具体的には、アルミニウム等の金属材料で構成されている。これにより、Ｖリブドベルト４０５に張力が付与された状態でＶリブドベルト４０５が駆動されたときにも、これらのプーリの変形が抑えられ、速度変動の発生を抑えた駆動伝達を行うことが可能となる。
【００２１】
筐体３０３内において、ＣＣＤやＣＭＯＳ等の画像読取手段を搭載したキャリッジ４０７がＶリブドベルト４０５に固設されている。また、ステッピングモータ３０４からの駆動力は、駆動プーリ４０１からＶリブドベルト４０５を介してキャリッジ４０７に伝達される。こうして、キャリッジ４０７はＶリブドベルト４０５の往復運動に連動して移動可能となっている。本実施形態に係る画像読取装置では、キャリッジ４０７の移動走査（往復運動）によって、原稿台３０２上に載置された原稿画像の読み取りを行う。
【００２２】
［Ｖリブドベルトへ張力を付与する構成］
図３に示されるように、Ｖリブドベルト４０５は背面コグ部５０３を有しており、Ｖリブドベルト４０５の背面全域にわたって、ゴム又は軟質合成樹脂等の弾性体で構成されシート部材５０２が背面コグ部５０３を覆うように貼り付けられている。テンショナープーリ４０４はシート部材５０２を介してＶリブドベルト４０５の背面に当接して、Ｖリブドベルト４０５に対して適切な張力を付与する。
【００２３】
このように、Ｖリブドベルト４０５とテンショナープーリ４０４との間にシート部材５０２を介在させた構成により、駆動プーリ４０１からＶリブドベルト４０５への駆動力の伝達効率を高く保つことができる。また、背面コグ部５０３とテンショナープーリ４０４とが直接に接触せず、Ｖリブドベルト４０５駆動時にはシート部材５０２の弾性変形により背面コグ部５０３に起因する振動が吸収されるため、背面コグ部５０３に起因する振動の発生を抑制することができる。こうして、ひいては、原稿を読み取ったときに良好な画像を得ることができるようになる。
【００２４】
＜第２実施形態＞
第１実施形態では、Ｖリブドベルト４０５の背面全域にわたって背面コグ部５０３を覆うようにシート部材５０２を貼り付けた構成とした。これに対して、第２実施形態では、テンショナープーリ４０４におけるＶリブドベルト４０５との当接面を弾性体で覆った構成としており、その他の構成は、第１実施形態と同じである。よって、図３と対応するように図４に示した、本発明の第２実施形態に係る画像読取装置におけるテンショナープーリ部の構成を示す図を参照して、Ｖリブドベルト４０５へ張力を付与する構成について説明する。
【００２５】
図４に示すように、第１実施形態と同様に、Ｖリブドベルト４０５は、その背面に背面コグ部５０３を備えている。テンショナープーリ４０４において、Ｖリブドベルト４０５の背面コグ部５０３と接触する当接面（本実施形態では、テンショナープーリ４０４の外周面全体）には弾性部６０２が設けられており、弾性部６０２は、ゴム又は軟質合成樹脂等の弾性体で構成されている。このような弾性部６０２を有するテンショナープーリ４０４をＶリブドベルト４０５の背面に当接させることによって、Ｖリブドベルト４０５に張力を付与する。
【００２６】
Ｖリブドベルト４０５を駆動させると、Ｖリブドベルト４０５の背面コグ部５０３がテンショナープーリ４０４の弾性部６０２に接触し、このとき弾性部６０２が弾性変形することで、背面コグ部５０３との接触による振動を吸収することができる。
【００２７】
よって、第２実施形態に係る構成によっても、第１実施形態に係る構成と同様に、Ｖリブドベルト４０５への高い伝達効率を保つことができる。また、Ｖリブドベルト４０５の駆動時には、背面コグ部５０３に起因する振動の発生を抑制することができ、ひいては、原稿を読み取ったときに良好な画像を得ることができるようになる。
【００２８】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００２９】
例えば、上記実施形態では、Ｖリブドベルト４０５を３個のプーリ（駆動プーリ４０１、第１のアイドラプーリ４０２、第２のアイドラプーリ４０３）に張架したが、Ｖリブドベルト４０５を張架するプーリは少なくとも２つ以上であればよい。また、上記実施形態では、１つのテンショナープーリ４０４でＶリブドベルト４０５に張力を付与したが、２つ以上（複数）のテンショナープーリでＶリブドベルト４０５に張力を付与してもよい。
【符号の説明】
【００３０】
３０１    （画像読取装置の）本体
３０２    原稿台
３０３    筐体
３０４    ステッピングモータ
４０１    駆動プーリ
４０２    第１のアイドラプーリ
４０３    第２のアイドラプーリ
４０４    テンショナープーリ
４０５    Ｖリブドベルト
４０７    キャリッジ
５０２    シート部材
５０３    背面コグ部
６０２    弾性部
【図１】
2013046225.tif 000003
【図２】
2013046225.tif 000004
【図３】
2013046225.tif 000005
【図４】
2013046225.tif 000006
【図５】
2013046225.tif 000007
【図６】
2013046225.tif 000008